(57)【要約】【課題】この出願発明は、熟練者や縫製業者以外の初心者などであっても容易に縫製を行うことができ、また、型紙を必要とせずに縫製工程を簡略化できる芯地を提供することを課題とする。【解決手段】この出願発明は、縫製方法を指示する表示が印刷されている芯地、この芯地を使用した縫製品およびこの芯地を使用する縫製方法に関する。【選択図】　　　　図１
2004068195.tif 000002
【特許請求の範囲】
【請求項１】
縫製方法を指示する表示が印刷されていることを特徴とする芯地。
【請求項２】
縫製方法を指示する表示が縫製のための裁断個所を指示する裁断線、縫製個所を指示する縫い目線、あるいは縫製の方法を指示する印字のいずれか１つ以上であることを特徴とする請求項１に記載の芯地。
【請求項３】
表地が積層されていることを特徴とする請求項１または２に記載の芯地。
【請求項４】
裏地が積層されていることを特徴とする請求項１または２に記載の芯地。
【請求項５】
請求項１〜４のいずれかに記載の芯地を有することを特徴とする縫製品。
【請求項６】
請求項１〜４のいずれかに記載の芯地を使用することを特徴とする縫製方法。
【発明の詳細な説明】
【０００１】
【発明の属する技術分野】この出願発明は、表地の裁断、縫製が初心者でも簡単に行うことのできる芯地、縫製品および縫製方法に関する。
【０００２】
【従来の技術】従来、芯地を使用する衣服や、衣料品や、縫いぐるみ、人形、ミニチュア人体模型、飾り物などの日曜雑貨品などの縫製方法としては、縫製のパターンを型紙に描くか、あるいは型紙に印刷しておき、表地などをその型紙に合わせて裁断し、必要によって芯地を同じ形に裁断後、接着して縫製を行い衣服などを完成させている。
また、既製服のように、同じ衣服を大量に生産する場合は、表地などを多数枚積層しておき、型紙に合わせて多数枚を同時に裁断するか、あるいはコンピュータに記録させたパターンに基づいて多数枚を同時に裁断する方法が採られている。
しかし、このような方法は、熟練者や縫製業者以外の初心者などにとっては縫製を行うことは困難であった。また、型紙を作製する必要があるため、縫製工程が多く、手間がかかり過ぎるという問題があった。
【０００３】
【発明が解決しようとする課題】この出願発明は、これらの問題を解決するものであり、熟練者や縫製業者以外の初心者などであっても容易に縫製を行うことができ、また、型紙を必要とせずに縫製工程を簡略化できる芯地、その芯地を有する縫製品およびその芯地を使用する縫製方法を提供することを課題とする。
【０００４】
【発明を解決するための手段】この出願発明は、縫製方法を指示する表示が印刷されている芯地に関する。
【０００５】
【発明の実施の形態】以下、この出願発明の好適実施形態について説明する。
芯地は、織物、編物、または不織布が使用されるが、不織布は、細い繊維が１本ずつ配列しているので組織が緻密となり、印刷が鮮明となるので好ましい。
【０００６】
縫製方法を指示する表示は、縫製のための裁断個所を指示する裁断線、縫製個所を指示する縫い目線、あるいは縫製の方法を指示する印字であることが好ましく、これらの表示から選ばれる２種以上の表示がされていることがより好ましい。
縫製方法を表示する印字は、どこに印刷されていてもよいが、縫い代に記載されていることが好ましい。
裁断線は、縫い目線から縫い代分だけ離れたところに設けることが好ましい。
【０００７】
この出願発明の芯地には、表地が積層されていることが好ましい。
積層の仕方は、とくに限定されず、接着、縫合などが適用されるが、接着が好ましい。
芯地に表地が積層されていることにより完成品を簡単に仕上げることができる。
【０００８】
この出願発明の芯地には、裏地が積層されていることが好ましい。
積層の仕方は、とくに限定されず、接着、縫合などが適用されるが、接着が好ましい。
芯地に裏地が積層されていることにより完成品を簡単に仕上げることができる。
【０００９】
この出願発明は、縫製方法を指示する表示が印刷されている芯地を有する縫製品であることが好ましい。
縫製方法を指示する表示が印刷されている芯地を使用することにより初心者でも簡単に縫製して縫製品としたり、更に他の素材とを組み合わせて縫製して縫製品とすることができるので、縫製の段階で失敗することがなく、この縫製品を基にして出来上がりのよい完成品に仕上げることができる。
【００１０】
この出願発明は、縫製方法を指示する表示が印刷されている芯地を使用する縫製方法であることが好ましい。
縫製方法を指示する表示が印刷されている芯地を利用して縫製することにより、必要に応じて更に他の素材と組み合わせて縫製することにより初心者でも従来の縫製に比べて簡単にしかも迅速に縫製することができる。
【００１１】
この出願発明は、芯地と表地或いは裏地とを合わせて、接着するか、または縫い合わせて一体化した後で、裁断線または縫い目に合わせて裁断する。
その後、縫製して、必要に応じて更に、他の素材と組み合わせて縫製して目的とする完成品に仕上げる。
例えば、表地と芯地を縫製して縫いぐるみを作製するときは、一部をあけておき、中綿をその中に挿入後、あいた部分を縫製して完成させるというように、他の素材との組み合わせも自由自在である。
【００１２】
芯地は、従来の芯地を使用することができ、不織布がとくに好ましいが、不織布芯地は、ポリエステル、ナイロンなどの合成繊維、アセテートなどの半合成繊維、レーヨンなどの再生繊維、あるいはウールなどの天然繊維を使用して、従来行われている方法、例えば、乾式法、湿式抄造法、メルトブローン法、スパンボンド法などで得られた繊維ウェブを水流交路法、ニードルパンチ法、ステッチボンド法などの物理的方法、サーマルポンド法などの熱による接着方法、レジンボンドなどの接着剤による接着方法で強度を発現させる方法を適宜組み合わせて製造することができる。
【００１３】
芯地は接着芯地であることが好ましい。
接着芯地の場合には、芯地と表地とを容易に貼り合わせることができ、また、表地全体を貼り合わせることができるので、裁断し易く、縫製の手間を省略することができる。
【００１４】
接着芯地とするために芯地に接着樹脂を塗布する方法としては、従来の方法により行うことができ、ホットメルト樹脂をペースト状とした後ドット状に付着させる方法、粒状のホットメルト樹脂を芯地の上から散布して付着させる方法、ホットメルト樹脂を溶融させ細い径のノズルより紡出して蜘蛛の巣状に塗布する方法など従来より接着芯地で用いられる方法を適用することができる。
【００１５】
印刷方法は特に限定されず、芯地に印刷できる印刷方法であればよく、例えば、グラビア印刷、凸版印刷、インクジェット印刷、スクリーン印刷、オフセット印刷などが使用され、使用する芯地、目的とするデザイン、数量などに応じて適宜印刷法を選択して使用することができる。
【００１６】
印刷に際しては、印刷した線や文字が滲まないようにすることが好ましい。
例えば、水性インクにより印刷する場合は、印刷した絵や文字が滲まないように、芯地に少量の撥水加工を行うことも好ましい。
【００１７】
枚葉紙に対応した印刷機を使用する場合には、芯地の通紙を良くするため、離型紙に仮接着用の糊などを付けたものを芯地と仮接着しておき、印刷後に離型紙を剥離することも好ましい。
【００１８】
また、デザインをプログラム化してＦＤやＣＤなどの記録媒体に記憶させてもよい。
記録媒体と、芯地と離型紙とを貼り合わせた複合シートと必要に応じて他の縫製用素材とを組合せて一般のユーザに提供することにより、この出願発明の縫製方法を実施することもできる。
或いは記録媒体の代わりに、デザインをプログラム化したソフトをインターネットで送信して提供することも可能である。
このようにすれば、ユーザの好みに合わせた完成品を容易に得ることができる。
【００１９】
【実施例】
以下、この出願発明の実施例につき説明する。
図１はこの出願発明の熊の横の部分を印刷した芯地であり、図２はこの出願発明の熊の後ろの部分を印刷した芯地であり、図３はこの出願発明の縫製した熊のぬいぐるみであり、図４はこの出願発明のミニチュア人体模型の前の中央部分と前の横の部分を印刷した芯地であり、図５はこの出願発明のミニチュア人体模型の後ろの中央部分と後ろの横の部分を印刷した芯地であり、図６はこの出願発明のミニチュア人体模型の襟、袖、底を印刷した芯地であり、図７はこの出願発明の縫製したミニチュア人体模型であり、図８はこの出願発明のミニチュア人体模型に衣服を被せたものであり、１は縫製のための裁断個所を指示する裁断線、２は縫製個所を指示する縫い目線、３は縫製の方法を指示する印字、４は熊のぬいぐるみ、５はミニチュア人体模型、６は衣服をそれぞれ示す。
【００２０】
実施例１
ポリエステルのステープル繊維（１．７〜２．２デシテックス）をカード機にかけて、繊維ウェブを作製した後、加熱した凹凸のあるロールと平滑なロールとの間に通して、部分的に熱接着した面密度１７ｇ／ｍ２の不織布を製造した。
この不織布にペースト状のポリアミド樹脂からなるホットメルト樹脂を１１０ポイント／ｃｍ２の密度でドット状に塗布して乾燥させ、面密度１０ｇ／ｍ２の接着樹脂が付着した面密度２７ｇ／ｍ２の接着芯地を製造した。
この不織布接着芯地の接着樹脂塗布面に、ポリエチレンフィルムをラミネートした紙のポリエチレンフィルム側を重ね、ポリエチレンフィルムを軟化又は溶融させて不織布接着芯地とラミネート紙とを貼り合せた。
つぎにこの複合シートにインクジェットプリンターを使用して、不織布接着芯地の接着樹脂塗布面とは反対側に、図３に示す熊の縫いぐるみの縫製方法を指示する表示である縫製のための裁断個所を指示する裁断線１、縫製個所を指示する縫い目線２、縫うための情報用の文字「袋詰め口」、「前（２枚）」３を印刷した芯地（図１）、同様に縫うための情報用の文字「後ろ中心わ」、「後ろ」３を印刷した芯地（図２）を作製した。
つぎに不織布接着芯地からラミネート紙を分離してこの出願発明の芯地を製造した。この芯地と表地とを貼り合わせて積層し、芯地に印刷してある表示に基づいて裁断、縫製を行い、中綿を挿入して図３に示す熊の縫いぐるみを製造した。
この実施例の芯地、縫製品および縫製方法により、熟練者や縫製業者以外の初心者などであっても容易に縫製を行うことができ、また型紙を必要としないで縫製工程を簡略化することができる。
また、例えば、この実施例の芯地と、表地と他の縫製用素材とを、例えば中綿とを一つにして包装したパックとして、一般のユーザに提供することにより、初心者でも容易に縫製を行うことができ、目的とする縫いぐるみなどの完成品を得ることができる。
【００２１】
実施例２
ポリエステルのステープル繊維（１．７〜２．２デシテックス）をカード機にかけて、繊維ウェブを作製した後、加熱した凹凸のあるロールと平滑なロールとの間に通して、部分的に熱接着した面密度１７ｇ／ｍ２の不織布を製造した。
この不織布にペースト状のポリアミド樹脂からなるホットメルト樹脂を１１０ポイント／ｃｍ２の密度でドット状に塗布して乾燥させ、面密度１０ｇ／ｍ２の接着樹脂が付着した面密度２７ｇ／ｍ２の接着芯地を製造した。
この不織布接着芯地の接着樹脂塗布面に、ポリエチレンフィルムをラミネートした紙のポリエチレンフィルム側を重ね、ポリエチレンフィルムを軟化又は溶融させて不織布接着芯地とラミネート紙とを貼り合せた。
つぎにこの複合シートにインクジェットプリンターを使用して、不織布接着芯地の接着樹脂塗布面とは反対側に、縫製方法を指示する表示である縫製のための裁断個所を指示する裁断線１、縫製個所を指示する縫い目線２、さらに縫製の方法を指示する印字である前の中央部分を示す「ＦＣ」、前の横の部分を示す「ＦＳ」３を印字した芯地（図４）、後ろの中央を示す「ＢＣ」、後ろの横を示す「ＢＳ」３を印字した芯地（図５）、襟の部分であることを示す「ＥＲＩ・Ｉ」、「ＥＲＩ・ＩＩ」、ミニチュア人体模型の底の部分であることを示す「ＳＯＫＯ」、ミニチュア人体模型の袖の部分であることを示す「ＳＯＤＥ」３を印字した芯地（図６）を作製した。
なお、図では文字が内側に印刷されているが、縫い代に印刷することが好ましい。
つぎに不織布接着芯地からラミネート紙を分離してこの出願発明の芯地を製造した。この芯地と表地とをアイロンを使用して熱接着によって貼り合わせて積層し、芯地に印刷してある表示に基づいて裁断、縫製を行い、また部品を付けたり、中綿を挿入して目的とする図７の高さ約１５ｃｍのミニチュア人体模型５を製造した。
このミニチュア人体模型５を利用することにより、図８で示す衣服６を着用して飾り物とすることができる。
この実施例の芯地、縫製品および縫製方法により、熟練者や縫製業者以外の初心者などであっても容易に縫製を行うことができ、また型紙を必要としないで縫製工程を簡略化することができる。
また、例えば、この実施例の芯地と、表地と他の縫製用素材とを、例えば中綿とを一つにして包装したパックとして、一般のユーザに提供することにより、初心者でも容易に縫製を行うことができ、目的とする縫いぐるみなどの完成品を得ることができる。
【００２２】
【発明の効果】この出願発明の芯地を利用することにより、熟練者や縫製業者以外の初心者などであっても容易に縫製を行うことができ、また、型紙を必要とせずに縫製工程を簡略化できる。
表地は自由に選択できるので、好みの表地にこの出願発明の芯地を利用することにより好みの衣服を縫製することができる。
さらに、同じパターンの芯地を利用し、表地を変えることにより表地だけが異なる数種類の衣服を縫製することができる。
表地と芯地を縫製して縫いぐるみを作製するときは、一部をあけておき、中綿をその中に挿入後、あいた部分を縫製して完成させるというように、他の素材との組み合わせも自由自在である。
芯地を裏地にあらかじめ積層したものを使用することにより、さらに簡単に衣服を縫製することができる。
また、例えばこの出願発明の芯地と、表地と他の縫製用素材を、例えば中綿とを一つにして包装したパックとして、一般のユーザに提供することにより、初心者でも容易に縫製を行うことができ、目的とする縫いぐるみなどの完成品を得ることができる。
また、縫製方法を指示する表示が外側に出ないので、外観が良い。
【図面の簡単な説明】
【図１】この出願発明の熊の横の部分を印刷した芯地。
【図２】この出願発明の熊の後ろの部分を印刷した芯地。
【図３】この出願発明の縫製した熊のぬいぐるみ。
【図４】この出願発明のミニチュア人体模型の前の中央部分と前の横の部分を印刷した芯地。
【図５】この出願発明のミニチュア人体模型の後ろの中央部分と後ろの横の部分を印刷した芯地。
【図６】この出願発明のミニチュア人体模型の襟、袖、底を印刷した芯地。
【図７】この出願発明の縫製したミニチュア人体模型。
【図８】この出願発明の衣服を被せたミニチュア人体模型。
【符号の説明】
１　縫製のための裁断個所を指示する裁断線
２　縫製個所を指示する縫い目線
３　縫製の方法を指示する印字
４　熊のぬいぐるみ
５　ミニチュア人体模型
６　衣服
【図１】
2004068195.tif 000003
【図２】
2004068195.tif 000004
【図３】
2004068195.tif 000005
【図４】
2004068195.tif 000006
【図５】
2004068195.tif 000007
【図６】
2004068195.tif 000008
【図７】
2004068195.tif 000009
【図８】
2004068195.tif 000010